【手続補正書】
【提出日】平成19年7月3日(2007.7.3)
【手続補正１】
【補正対象書類名】明細書
【補正対象項目名】発明の名称
【補正方法】変更
【補正の内容】
【発明の名称】画像形成装置
【手続補正２】
【補正対象書類名】明細書
【補正対象項目名】特許請求の範囲
【補正方法】変更
【補正の内容】
【特許請求の範囲】
【請求項１】  交流電源を所定レベルの低圧電源に変換して出力する低電圧変換手段と、
前記低圧電源を所定レベルの高圧電源に変換して出力する高電圧変換手段と、
前記高圧電源の出力の開始と停止を制御する高圧制御手段と、
前記低圧電源の出力レベルを検出する低圧制御手段と、
を有し、前記高圧制御手段は電源供給が開始されたときに、前記低圧制御手段が低圧電源の出力レベルが所定範囲内にあることを検出するまで高圧電源の出力を停止し、低圧電源の出力レベルが所定範囲内にあることを検出してから前記高圧電源の出力を開始することを特徴とする画像形成装置。
【請求項２】  前記低圧制御手段は、低圧電源の出力レベルが所定範囲内に有るか否かをシリアル通信で前記高圧制御手段に伝達することを特徴とする請求項１記載の画像形成装置。 
【請求項３】  前記画像形成装置のドアの開閉状態を検知するドア検知手段を有し、前記ドアが開いているときに、前記低圧電源の出力レベルが前記所定範囲内にないときは、前記高圧電源出力を停止し、前記低圧電源の出力レベルが前記所定範囲内になったときに前記高圧電源の出力を開始するとともに、前記ドアが閉じているときに、前記低圧電源の出力レベルが前記所定範囲内にないときは、前記高圧制御手段がリセットされるまでの間画像形成動作を禁止することを特徴とする請求項１又は２記載の画像形成装置。
【手続補正３】
【補正対象書類名】明細書
【補正対象項目名】０００１
【補正方法】変更
【補正の内容】
【０００１】
【発明の属する技術分野】
本発明は、電源出力制御を行う複写機、プリンタ等の画像形成装置に関するものである。
【手続補正４】
【補正対象書類名】明細書
【補正対象項目名】０００９
【補正方法】変更
【補正の内容】
【０００９】
【課題を解決するための手段】
本発明に係る画像形成装置は、次の様に構成したものである。
【手続補正５】
【補正対象書類名】明細書
【補正対象項目名】００１０
【補正方法】変更
【補正の内容】
【００１０】
（１）交流電源を所定レベルの低圧電源に変換して出力する低電圧変換手段と、前記低圧電源を所定レベルの高圧電源に変換して出力する高電圧変換手段と、前記高圧電源の出力の開始と停止を制御する高圧制御手段と、前記低圧電源の出力レベルを検出する低圧制御手段と、を有し、前記高圧制御手段は電源供給が開始されたときに、前記低圧制御手段が低圧電源の出力レベルが所定範囲内にあることを検出するまで高圧電源の出力を停止し、低圧電源の出力レベルが所定範囲内にあることを検出してから前記高圧電源の出力を開始することを特徴とする画像形成装置。
（２）前記画像形成装置のドアの開閉状態を検知するドア検知手段を有し、前記ドアが開いているときに、前記低圧電源の出力レベルが前記所定範囲内にないときは、前記高圧電源出力を停止し、前記低圧電源の出力レベルが前記所定範囲内になったときに前記高圧電源の出力を開始するとともに、前記ドアが閉じているときに、前記低圧電源の出力レベルが前記所定範囲内にないときは、前記高圧制御手段がリセットされるまでの間画像形成動作を禁止することを特徴とする前記（１）記載の画像形成装置。
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】削除
【補正の内容】
【手続補正８】
【補正対象書類名】明細書
【補正対象項目名】００１３
【補正方法】削除
【補正の内容】
【手続補正９】
【補正対象書類名】明細書
【補正対象項目名】００１４
【補正方法】削除
【補正の内容】
【手続補正１０】
【補正対象書類名】明細書
【補正対象項目名】００１５
【補正方法】削除
【補正の内容】
【手続補正１１】
【補正対象書類名】明細書
【補正対象項目名】００１９
【補正方法】変更
【補正の内容】
【００１９】
２２はＡＣ（交流）電源回路、２３はそのＡＣ電源を所定レベルの低圧電源に変換して出力する低圧電源出力発生回路（低電圧変換手段）、２４はその低圧電源を複数の所定レベルの高圧電源に変換して出力する高圧電源出力発生回路（高電圧変換手段）であり、上記主制御部１０はこの高圧電源の出力の開始と停止を切り替えて制御する高圧制御手段を構成している。２５は上記低圧電源の出力レベルをＣＰＵにより検出（計測）して制御する電源制御部（低圧制御手段）、２６は装置本体の前面部配置された前ドアの開閉状態を検知するための前ドア開閉検知スイッチ（ドア検知手段）である。
【手続補正１２】
【補正対象書類名】明細書
【補正対象項目名】００２８
【補正方法】変更
【補正の内容】
【００２８】
続いて、順次読み込む画像を１枚の出力用紙（転写紙）の両面に画像形成する方法について説明する。この場合、上記定着部２０７で定着された出力用紙を、一度排紙部２０８まで搬送後、出力用紙の搬送向きを反転して、搬送方向切り替え部材２０９を介して再給紙用被転写紙積載部２１０に搬送する。そして、次の原稿が準備されると、上記のプロセスと同様にして原稿画像が読み取られ、感光体２０２上に潜像が形成されるが、転写紙は再給紙用被転写紙積載部２１０より給紙されるので、結局同一出力用紙の表面及び裏面に各々別の原稿画像を出力することができる。
【手続補正１３】
【補正対象書類名】明細書
【補正対象項目名】００３６
【補正方法】変更
【補正の内容】
【００３６】
図４中、５０３は複写開始キー（コピースタートキー２）であり、複写を開始するときに押す。５０４はクリア／ストップキーであり、待機（スタンバイ）中はクリアキー、複写記録中はストップキーの機能を有しており、クリアキーは、設定した複写枚数を解除するときに押す。
【手続補正１４】
【補正対象書類名】明細書
【補正対象項目名】００３８
【補正方法】変更
【補正の内容】
【００３８】
５０８はカセット選択キーであり、上段カセット、中段カセット、下段ペーパーデッキを選択するときに押す。また、ＲＤＦ３００に原稿が載っているときには、このカセット選択キー５０８によりＡＰＳ（自動用紙選択）が選択できる。ＡＰＳが選択されたときには、原稿と同じ大きさの転写紙のカセットが自動選択される。
【手続補正１５】
【補正対象書類名】明細書
【補正対象項目名】００４０
【補正方法】変更
【補正の内容】
【００４０】
５１５はソータの動作モードを選択するキーであり、排紙方法（ステイプル、ソート、グループ）、記録後の出力用紙をステイプルで綴じることのできるステイプラが接続されている場合はステイプルモード／ソートモード、記録済出力用紙の折り（断面Ｚ形／断面Ｖ形）、の選択及び解除ができる。
【手続補正１６】
【補正対象書類名】明細書
【補正対象項目名】００４２
【補正方法】変更
【補正の内容】
【００４２】
次に、図１のブロック図を用いて各部の制御について説明する。
【手続補正１７】
【補正対象書類名】明細書
【補正対象項目名】００５２
【補正方法】変更
【補正の内容】
【００５２】
ＣＣＤ２０はリーダ部１００のスキャナに配置されており、操作部１でコピースタートキー２が押下されることによって、主制御部１０の指示によりスキャナが動作し、原稿上を走査する。ＣＣＤドライブ回路１９はＣＣＤ２０を駆動する回路であり、クロックパルスの発生、ＣＣＤ２０が出力した画素信号の各画素の濃度に応じた電圧値のサンプルホールド、Ａ／Ｃ変換を行う。そして、Ａ／Ｄ変換により００（ｈ）〜ＦＦ（ｈ）の多値データに変換された画像は、濃度変換回路１７に伝達される。
【手続補正１８】
【補正対象書類名】明細書
【補正対象項目名】００５６
【補正方法】変更
【補正の内容】
【００５６】
上記レーザドライブ回路１２は主制御部１０の出力ポートと接続されていて、主制御部１０の指示によってレーザパワーが設定される。一度設定されたモードは変更されるまで保持される。クラッチ・ソレノイド駆動回路２１は、主制御部１０の出力ポートに接続されていて、主制御部１０の指示によって各クラッチやソレノイドを駆動する回路である。前ドア開閉検知スイッチ２６は、装置本体の前面のカバー（前ドア）の開閉を検知するためのスイッチであり、この前ドア開閉検知スイッチ２６の出力側は主制御部１０の入力ポートに接続されていて、前ドアの状態を主制御部１０に伝達するものである。
【手続補正１９】
【補正対象書類名】図面
【補正対象項目名】図６
【補正方法】変更
【補正の内容】
【図６】
2002023567.tif 000001